(57)【要約】【課題】黒板への照明装置の設置が容易であると共に、照明装置の一部が破損して交換を要するような場合にその作業が容易に行なえる照明装置を備えた黒板装置を提供する。【解決手段】黒板１の上端部に照明装置２を設置してなる黒板装置において、照明装置２は、単位長さに形成した金属製灯具本体３内にＬＥＤモジュール４を灯具本体長さ方向に沿って配設することにより形成される複数の灯具ユニット５と、各灯具ユニット５の灯具本体３に先端部が取り付けられる取付アーム６とからなり、各灯具ユニット５の灯具本体３を端部どうし連結し、各灯具ユニット５の灯具本体３に取付アーム６の先端部を取り付け、取付アーム６の基端部を黒板１の上端部に取り付ける。【選択図】図１
2014099285.tif 000002
【特許請求の範囲】
【請求項１】
黒板の上端部に照明装置を設置してなる黒板装置において、
照明装置は、単位長さに形成した金属製灯具本体内にＬＥＤモジュールを灯具本体長さ方向に沿って配設することにより形成される複数の灯具ユニットと、各灯具ユニットの灯具本体に先端部が取り付けられる取付アームとからなるもので、各灯具ユニットの灯具本体を端部どうし連結し、各灯具ユニットの灯具本体に取付アームの先端部を取り付け、その取付アームの基端部を黒板の上端部に取り付けるようにしてなる黒板装置。
【請求項２】
各灯具ユニットの灯具本体は、断面略Ｃ字状の前部側壁部と後部側壁部とによって中空枠状に形成され、後部側壁部は、上部壁部と中間壁部と下部壁部とからなるもので、中間壁部にＬＥＤモジュールが取り付けられ、このモジュール取付部より上部壁部と下部壁部との間に横断面末広がり状の開口部が灯具本体全長にわたって形成されており、この開口部内に半透明カバーを取り付けるようにした請求項１に記載の黒板装置。
【請求項３】
各灯具ユニットの灯具本体には後部側壁部の上部壁部背面側に、断面略倒Ｔ字状のナット嵌合溝を設け、取付アームの先端部を灯具ユニットの灯具本体に取り付けるにあたって、ナット嵌合溝の上面側に、水平に延びる取付アームの先端部を載置し、この取付アーム先端部を把持する取付用把持片からボルトを、ナット嵌合溝内に回転不能状態に挿入配置したナット部材に螺合緊締することにより、取付アームの先端部を灯具本体に取り付けるようにした請求項１又は２に記載の黒板装置。
【請求項４】
取付アームはパイプ材からなるもので、取付アームの基端部を黒板の上端部に取り付けるにあたり、ベース板上に突設した取付軸部に、下向きに延びる取付アームの基端部を嵌合して固定し、このベース板を黒板の上端部に固定するようにした請求項１〜３の何れかに記載の黒板装置。
【請求項５】
各灯具ユニットの灯具本体には後部側壁部の背面側に、断面上向き略倒Ｔ字状のナット嵌合溝を設け、各灯具ユニットの灯本体をその端部どうし連結するにあたり、両灯本体の両ナット嵌合溝内にわたってナット部材を回転不能状態に挿入配置すると共に、両ナット嵌合溝の上面側に連結板を配置して、連結板からビスをナット部材のネジ孔に螺合緊締することにより、灯本体をその端部どうし連結するようにした請求項１〜４の何れかに記載の黒板装置。
【請求項６】
各灯具ユニットの灯具本体内に配設したＬＥＤモジュールの配線コードを取付アームに通すようにした請求項４又は５に記載の黒板装置。
【発明の詳細な説明】
【技術分野】
【０００１】
本発明は、黒板の上端部に照明装置を設置して黒板装置に関するものである。
【背景技術】
【０００２】
従来におけるこの種の黒板装置としては、例えば本願と同一出願人によって出願された下記特許文献１に記載されたものがある。これは、黒板照明装置が、黒板の上端部にその長手方向全域にわたって嵌合する本体笠枠を有し、この本体笠枠内に下面側が開口したライト取付部を形成し、ライト取付部に多数のＬＥＤを直線状に配設することによって形成されるＬＥＤライトを取り付けたものである。この黒板照明装置によれば、黒板と一体に設置されるから、昇降式黒板でも、黒板の昇降による照度が変わらず、またＬＥＤを使用しているから、蛍光灯よりも長寿命で、消費電力を少なく、節電になる。
【先行技術文献】
【特許文献】
【０００３】
【特許文献１】実用新案登録第３１６１４５４号公報
【発明の概要】
【発明が解決しようとする課題】
【０００４】
しかしながら、上記特許文献１に記載された黒板装置の照明装置は、黒板の上端部にその長手方向全域にわたるように配置される本体笠枠内のライト取付部に多数のＬＥＤを、本体笠枠の全長にわたって直線状に配設することによりＬＥＤライトを形成したもので、ＬＥＤライトが黒板全長にわたって一体のものとして形成されているから、本体笠枠内に配設されるＬＥＤの一部を交換するような時には、本体笠枠全体を黒板から取り外さなければならず、交換作業にかなり手間がかかり、また長さが３６００ｍｍや４５００ｍｍといった大型の黒板では、本体笠枠が長尺なものとなるため、本体笠枠の現場への搬入及びその設置作業に困難を来す。また本体笠枠が黒板の上端部にその長手方向全域にわたって嵌合する構造であるため、平面黒板にしか取付けできず、曲面黒板や半曲面黒板には適用することができない。
【０００５】
本発明は、上記の事情に鑑み、黒板への照明装置の設置が容易であると共に、照明装置の一部が破損して交換を要するような場合にその作業が容易に行なえる照明装置を備えた黒板装置を提供することを目的としている。
【課題を解決するための手段】
【０００６】
上記課題を解決するための手段を、後述する実施形態の参照符号を付して説明すると、請求項１に係る発明は、黒板１の上端部に照明装置２を設置してなる黒板装置において、照明装置２は、単位長さに形成した金属製灯具本体３内にＬＥＤモジュール４を灯具本体長さ方向に沿って配設することにより形成される複数の灯具ユニット５と、各灯具ユニット５の灯具本体３に先端部が取り付けられる取付アーム６とからなるもので、各灯具ユニット５の灯具本体３を端部どうし連結し、各灯具ユニット５の灯具本体３に取付アーム６の先端部を取り付け、その取付アーム６の基端部を黒板１の上端部に取り付けるようにしてなることを特徴とする。
【０００７】
請求項２は、請求項１に記載の黒板装置において、各灯具ユニット５の灯具本体３は、断面略Ｃ字状の前部側壁部Ａと後部側壁部Ｂとによって中空枠状に形成され、後部側壁部Ｂは、上部壁部Ｂａと中間壁部Ｂｃと下部壁部Ｂｂとからなるもので、中間壁部ＢｃにＬＥＤモジュール４が取り付けられ、このモジュール取付部より上部壁部Ｂａと下部側壁部Ｂｂとの間に横断面末広がり状の開口部８が灯具本体全長にわたって形成されており、この開口部８内に半透明カバー１０を取り付けるようにしたことを特徴とする。
【０００８】
請求項３は、請求項１又は２に記載の黒板装置において、各灯具ユニット５の灯具本体３には後部側壁部Ｂの上部壁部Ｂａ背面側に、断面上向き略倒Ｔ字状のナット嵌合溝９を設け、取付アーム６の先端部を灯具ユニット５の灯具本体３に取り付けるにあたって、ナット嵌合溝９の上面側に、水平に延びる取付アーム６の先端部を載置し、この取付アーム６先端部を把持する取付用把持片１６からボルト１７を、ナット嵌合溝９内に回転不能状態に挿入配置したナット部材１８に螺合緊締することにより、取付アーム６の先端部を灯具本体３に取り付けるようにしたことを特徴とする。
【０００９】
請求項４は、請求項１〜３の何れかに記載の黒板装置において、取付アーム６はパイプ材からなるもので、取付アーム６の基端部を黒板１の上端部に取り付けるにあたり、ベース板１９上に突設した取付軸部２０に、下向きに延びる取付アーム６の基端部を嵌合して固定し、このベース板１９を黒板１の上端部に固定するようにしたことを特徴とする。
【００１０】
請求項５は、請求項１〜４の何れかに記載の黒板装置において、各灯具ユニット５の灯具本体３には後部側壁部Ｂの背面側に、断面上向き略倒Ｔ字状のナット嵌合溝９を設け、各灯具ユニット５の灯具本体３をその端部どうし連結するにあたり、両灯具本体３，３の両ナット嵌合溝９，９内にわたってナット部材３６を回転不能状態に挿入配置すると共に、両ナット嵌合溝９，９の上面側に連結板３７を配置して、連結板３７からビス３８を、ナット部材３６のネジ孔３６ａに螺合緊締することにより、灯具本体３をその端部どうし連結するようにしたことを特徴とする。
【００１１】
請求項６は、請求項４又は５に記載の黒板装置において、各灯具ユニット５の灯具本体３内に配設したＬＥＤモジュール４の配線コード１２を取付アーム６に通すようにしたことを特徴とする。
【発明の効果】
【００１２】
上記解決手段による発明の効果を、後述する実施形態の参照符号を付して説明すると、請求項１に係る発明の黒板装置によれば、照明装置２は、単位長さに形成した金属製灯具本体３内にＬＥＤモジュール４を灯具本体長さ方向に沿って配設することにより形成される複数の灯具ユニット５と、各灯具ユニット５の灯具本体３に先端部が取り付けられる取付アーム６とからなるもので、灯具本体３の単位長さを例えば１８００ｍｍに設定すれば、この長さ１８００ｍｍの灯具本体３で形成される灯具ユニット５を２つ連結することにより、左右長さ３６００ｍｍの黒板１に設置できるし、同じ灯具ユニット５を３つ連結すれば、左右長さが５４００ｍｍの黒板１に設置できる。従って、同じ単位長さの灯具ユニット５を複数接続し、あるいは複数の異なる単位長さの灯具ユニット５（例えば長さ１８００ｍｍと９００ｍｍの灯具ユニット５）を複数接続することによって、任意の必要とする長さの照明装置２を形成することができる。また、照明装置２を黒板１に設置するには、各灯具ユニット５の灯具本体３を端部どうし連結し、各灯具ユニット５の灯具本体３に取付アーム６の先端部を取り付け、その取付アーム６の基端部を黒板１の上端部に取り付けるようにすればよいから、その設置作業を簡単且つ容易に行なえると共に、平面黒板に限らず、曲面黒板や半曲面黒板にも設置することができる。
【００１３】
そして、この照明装置２によれば、照明装置２が複数の灯具ユニット５からなるため、灯具ユニット５などの現場への搬入及びその取付作業が容易となり、そして照明装置２の一部が破損するなどして、取り替えを必要とする時には、灯具ユニット５ごとに取り替えすればよいから、取り替え作業が簡単容易で、取り替えに要するコストも安くて済み、非常に経済的である。
【００１４】
請求項２に係る発明の照明装置２によれば、各灯具ユニット５の灯具本体３は、断面略Ｃ字状の前部側壁部Ａと後部側壁部Ｂとによって中空枠状に形成され、後部側壁部Ｂは、上部壁部Ｂａと中間壁部Ｂｃと下部壁部Ｂｂとからなるもので、中間壁部ＢｃにＬＥＤモジュール４が取り付けられ、このモジュール取付部より上部壁部Ｂａと下部側壁部Ｂｂとの間に横断面末広がり状の開口部８が灯具本体全長にわたって形成されているから、ＬＥＤモジュール４から発した光は、横断面末広がり状に開口する開口部８より黒板１の表面を有効に照らすことができる。また、灯具本体３は金属製のもので、中空枠状に形成されているから、放熱機能を十分に発揮して、ＬＥＤモジュール４の過熱を有効に防止できると共に、この灯具本体３内の中空部３ａ，３ｂを、配線コードを通し入れる配線コード用通路として有効に利用できる。また、黒板１の正面側にある灯具本体３の前部側壁部Ａが断面略Ｃ字状に形成されているから、外観上の体裁、見栄えが良い上に、後部側壁部Ｂとの間に断面積が十分大きい中空部３ａ，３ｂを形成でき、それによって放熱効果が一層良くなる。また開口部８内に半透明カバー１０を取り付けているから、ＬＥＤモジュール４からの光は、眩しさやチラつきが少なく、柔らかい光となり、黒板表面の文字等が見易くなる。
【００１５】
請求項３に係る発明の照明装置２によれば、取付アーム６の先端部を灯具ユニット５の灯具本体３に取り付けるにあたり、灯具本体３の後部側壁部Ｂの背面側に設けた断面上向き略倒Ｔ字状のナット嵌合溝９の上面側に、取付アーム６の先端部を載置し、この取付アーム６先端部を把持する取付用把持片１６からボルト１７を、ナット嵌合溝９内に回転不能状態に挿入配置したナット部材１８に螺合緊締することにより、取付アーム６の先端部を灯具本体３に取り付けるようにしたから、灯具本体３に対する取付アーム６先端部の取付位置を灯具本体３の長さ方向に沿って任意に設定できると共に、何本の取付アーム６でも簡単容易に取り付けることができる。
【００１６】
請求項４に係る発明の照明装置２によれば、取付アーム６の基端部を黒板１の上端部に取り付けるにあたり、ベース板１９上に突設した取付軸部２０に、下向きに延びる取付アーム６の基端部を嵌合して固定し、このベース板１９を黒板１の上端部に固定するようにしたから、取付アーム６の基端部を黒板１の上端部に対し簡単且つ容易で強固に取付け固定することができる。
【００１７】
請求項５に係る発明の照明装置２によれば、各灯具ユニット５の灯具本体３をその端部どうし連結するあたり、隣り合う両灯具本体３，３の両ナット嵌合溝９，９内にわたってナット部材３６を回転不能状態に挿入配置すると共に、両ナット嵌合溝９，９の上面側に連結板３７を配置して、連結板３７からビス３８を、ナット部材３６のネジ孔３６ａに螺合緊締することにより、隣り合う両灯具本体３，３を簡単容易にして的確に一体的に連結することができる。
【００１８】
請求項６に係る発明の照明装置２によれば、灯具ユニット５の灯具本体３内に配設したＬＥＤモジュール４の配線コード１２を取付アーム６に通し入れるようにしているため、配線コード１２が黒板１の上部側に無造作に飛び出すようなことがなくなり、外観を損ない見栄えを悪くするようなことがない。
【図面の簡単な説明】
【００１９】
【図１】(a) は本発明に係る黒板装置の正面図、(b) は同黒板装置の平面図、(c) は同黒板装置の側面図である。
【図２】(a) は照明装置の一部拡大平面図、(b) は(a) のＸ−Ｘ線断面図である。
【図３】取付アームの基端部を黒板の上端部に取り付けた状態の断面図である。
【図４】取付アームの基端部をベース板上の取付軸部に嵌挿している状態を示す斜視図である。
【図５】図２の(a) のＹ−Ｙ線断面図である。
【図６】(a) は各灯具ユニットの灯具本体どうしを連結板で連結した状態の平面図、(b) は(a) のＺ−Ｚ線断面図である。
【発明を実施するための形態】
【００２０】
以下に本発明の好適な一実施形態を図面に基づいて説明すると、本発明に係る黒板装置を示す図１の(a) 〜(c) において、１は黒板、２は黒板１の上端部に設置された照明装置を示す。黒板１の上下端縁には上下縁枠２１，２２が、また左右端縁には左右縁枠２３，２３が取り付けてある。また黒板１は、図１の(c) に概略示すように、昇降枠２４に一体的に取り付けられており、この昇降枠２４は、周知の昇降駆動手段（図示省略）を介して固定枠体２５に昇降可能に保持され、従って昇降枠２４と一体の黒板１は、昇降駆動手段の昇降駆動によって所定ストローク昇降することができる。図１の(a) には、黒板１が下動限位置まで下降した状態を仮想線で示している。尚、黒板１は、図３に示すように、基板１ｏに表面板１ａを貼着してなるもので、基板１ｏの裏面側上端部に昇降枠２４の上枠材３４が固着されている。
【００２１】
照明装置２は、図１及び図２に示すように、単位長さに形成したアルミ押出形材製の灯具本体３内にＬＥＤモジュール４を灯具本体長さ方向に沿って配設することにより形成される複数の（ここでは２つの）灯具ユニット５，５と、各灯具ユニット５の灯具本体３に先端部が取り付けられる取付アーム６とからなり、各灯具ユニット５の灯具本体３を端部どうし連結し、各灯具ユニット５の灯具本体３に取付アーム６の先端部を取り付けると共に、その取付アーム６の基端部を黒板１の上端部に取り付けるようにしたものである。
【００２２】
上記照明装置２の構造について更に詳しく説明すれば、先ず、各灯具ユニット５を構成する灯具本体３は、アルミ押出形材からなるもので、図２の(a) 及び(b) に示すように、断面略Ｃ字状の前部側壁部Ａと、後部側壁部Ｂとによって中空枠状に形成され、後部側壁部Ｂは、上部壁部Ｂａと下部壁部Ｂｂと中間壁部Ｂｃとからなり、中間壁部Ｂｃは、上部壁部Ｂａの下端部と下部壁部Ｂｂの上端部とをつなぐと共に前部側壁部Ａの裏面側中段部につながるように延びており、上部壁部Ｂａの背面側段部Ｂｏには断面略倒Ｔ字状のナット嵌合溝９が形成されており。そして、中間壁部Ｂｃの下面側にＬＥＤモジュール４が取り付けられていて、このモジュール４の取付部を扇の要としてこれより断面略扇形に開口する開口部８が、上部壁部Ｂａの背面側段部Ｂｏと下部壁部Ｂｂとの間に形成され、この開口部８内にはプラスチック製の半透明カバー１０が取り付けられている。また、灯具本体３の両端面側には夫々アルミニウム製の端板３ｏが取り付けられている（図２の(b) 参照）。
【００２３】
各灯具ユニット５の灯具本体３は、単位長さが１８００ｍｍに形成されたもので、この実施形態の照明装置２では、図１の(a) ，(b) に示すように２つの灯具ユニット５，５の灯具本体３，３が端部どうし連結されることにより、両灯具本体３，３の全長は３６００ｍｍとなる。即ち、図１に示される黒板１の長さが３６００ｍｍである場合、この黒板１の長さに合うように照明装置２の左右方向長さを設定するには、灯具本体３の長さが１８００ｍｍである灯具ユニット５を２つ使用すればよいことになる。
【００２４】
各灯具ユニット５は、前記したように、単位長さに形成したアルミ押出形材製灯具本体３と、この灯具本体３内に灯具本体長さ方向に沿って配設されたＬＥＤモジュール４と、からなるもので、ＬＥＤモジュール４は、図２の(a) ，(b) に示すように、灯具本体３の中間側壁部Ｂｃ下面側に、灯具本体３長さ方向に沿って取り付けられている。尚、ＬＥＤモジュールとは、ＬＥＤパッケージ（ＬＥＤチップを封入し基板に接続し易くしたもの）を基板に取り付けて使用可能にした最小構成のの製品のことで、比較的長さの短い短片状のものから長さの長い帯状体のものまで種々あるが、この実施形態では、灯具本体３とほぼ同じ長さに形成した比較的長さの長い帯状体のものを使用している。
【００２５】
取付アーム６は、図５に示すようなアルミニウム製の扁平状パイプ材からなるもので、黒板１の上端部に取り付けられる基端部側が、図３に示すように黒板１の上端部から垂直に立ち上がり、この立上部６ａから水平に延びる水平部６ｂの先端部が、図２の(b) に示すように灯具ユニット５の灯具本体３に取り付けられるようになっている。尚、図１に示す照明装置２では、各灯具ユニット５の灯具本体３に対し２本の取付アーム６，６が取り付けられる。
【００２６】
この取付アーム６の先端部を灯具ユニット５の灯具本体３に取り付けるにあたっては、図２の(a) ，(b) 及び図５から分かるように、ナット嵌合溝９が形成されている後部側壁部Ｂの背面側段部Ｂｏの上面（ナット嵌合溝９の上面側）に、取付アーム６の水平部６ｂの先端部を載置し、この取付アーム６の先端部を把持する略Ω形状の取付用把持片１６のボルト挿通孔１６ｏから、ボルト１７を、ナット嵌合溝９内に回転不能状態に挿入配置したナット部材１８のネジ孔１８ａに螺合し緊締することにより、取付アーム６の先端部を灯具本体３に対し簡単にして的確に取付け固定することができる。取付用把持片１６は、図５に示すように取付アーム６の先端部をナット嵌合溝９の上面に載置した状態で、取付アーム６に上から嵌合する嵌合凸部１６ａと、この嵌合凸部１６ａの両端側に水平に延びる取付部片１６ｂ，１６ｂとからなる。
【００２７】
上記のように取付アーム６の先端部を灯具本体３に取り付けるのに、ナット嵌合溝９の上面側に取付アーム６の先端部を載置して、この取付アーム６の先端部を把持する取付用把持片１６のボルト挿通孔１６ｏからボルト１７を、ナット嵌合溝９内に挿入配置したナット部材１８のネジ孔１８ａに螺合緊締するようにすれば、灯具本体３に対する取付アーム６先端部の取付位置を灯具本体３の長さ方向に沿って任意に設定できると共に、何本の取付アーム６でも簡単容易に取り付けることができる。
【００２８】
また、取付アーム６の基端部を黒板１の上端部に取り付けるにあたっては、図３及び図４に示すように、矩形状のベース板１９の上面中央部に垂直に突設した取付軸部２０に、下向きに延びる取付アーム６の基端部を外嵌合して、ボルト２６によって固定し、そして図３に示すようにベース板１９を黒板１の上端部にある上枠材３４にボルト２７によって固定すればよい。
【００２９】
この場合、図３及び図４に示すように、取付アーム６の基端部には、ボルト２６を挿通させるボルト挿通孔２８を上下に複数設け、同時にボルト挿通孔２８の上側にケーブル取出孔２９を設けておく。ベース板１９の取付軸部２０にはボルト２６が螺合するネジ孔３０を設けておく。ベース板１９は、ベース板本体１９ａとこれの一側端部を下向き直角に折曲した端部折曲片１９ｂとからなるもので、ベース板本体１９ａ及び端部折曲片１９ｂにはボルト２７が挿通するボルト挿通孔３１及びビス３２が挿通するビス挿通孔３３を設けておく。従って、取付アーム６の基端部をベース板１９上の取付軸部２０に嵌合した状態で、ボルト２６を取付アーム６のボルト挿通孔２８から取付軸部２０のネジ孔３０に螺入して緊締する。また、ベース板１９を黒板１の上端部に固定するには、図３に示すように、ボルト２７を、ボルト挿通孔３１から、黒板１の裏面側上端部に固着された昇降枠２４の上枠材３４に予め設けてある下孔３５に螺合締結し、またビス挿通孔３３からビス３２を黒板１の基板１ｏにねじ込めばよい。尚、昇降枠２４の上枠材３４は、図１の(b) に概略示すような平面視Ｌ字形の連結金具３９を介して黒板１の基板１ｏの上端面にボルトで連結固定されている。
【００３０】
上記のように取付アーム６の基端部を黒板１の上端部に取り付けるにあたり、ベース板１９上に突設した取付軸部２０に、取付アーム６の基端部を嵌合してボルト２６によって固定し、このベース板１９を黒板１の上端部にボルト２７及びビス３２で固定するようにすることで、取付アーム６の基端部を黒板１の上端部に対し簡単且つ容易で強固に取付け固定することができる。また、ベース板１９は、ベース板本体１９ａと折曲片１９ｂとからなるもので、ベース板本体１９ａを黒板上端部の上面側にボルト２７で固定し、折曲片１９ｂを黒板上端部の背面側にボルト２７で固定するようにしたから、ベース板１９を黒板１の上端部に対し安定良く強固に取り付けできて、取付アーム６の基端部をより強固に安定良く固定できる。
【００３１】
図６は隣り合う２つの灯具ユニット５，５の灯具本体３，３どうしを一体的に連結する連結構造を示している。即ち、隣り合う双方の灯具ユニット５，５の対向する両灯具本体３，３どうしを連結するには、図６の(a) ，(b) に示すように、対向する両灯具本体３，３の両ナット嵌合溝９，９内にわたってナット部材３６を回転不能状態に挿入配置すると共に、両ナット嵌合溝９，９の上面側に帯板状の連結板３７を配置して、ビス３８を連結板３７のビス挿通孔３７ａからナット部材３６のネジ孔３６ａに螺合し、緊締することにより、双方の灯具ユニット５，５の灯具本体３，３どうしを一体的に連結する。この場合、連結板３７には、その両端部側にビス挿通孔３７ａが２つずつ設けられている。また、ナット部材３６は、連結板３７と同様な帯板状のもので、その両端部側にビス孔３６ａが２つずつ設けてある。
【００３２】
上記のように両灯具ユニット５，５の灯具本体３，３をその端部どうし連結するのに、両灯具本体３，３の両ナット嵌合溝９，９内にわたってナット部材３６を挿入配置すると共に、両ナット嵌合溝９，９の上面側に連結板３７を配置して、連結板３７からビス３８を、ナット部材３６のネジ孔３６ａに螺合し緊締することにより、隣り合う両灯具本体３，３を簡単容易にして的確に一体的に連結することができる。
【００３３】
以上説明した黒板装置の照明装置２は、単位長さに形成した金属製の灯具本体３内にＬＥＤモジュール４を灯具本体３の長さ方向に沿って配設することにより形成される複数の灯具ユニット５と、各灯具ユニット５の灯具本体３に先端部が取り付けられる取付アーム６とからなり、各灯具ユニット５の灯具本体３を端部どうし連結し、各灯具ユニット５の灯具本体３に取付アーム６の先端部を取り付け、その取付アーム６の基端部を黒板１の上端部に取り付けるようにしたものであるから、灯具本体３の単位長さを例えば１８００ｍｍに設定すれば、この長さ１８００ｍｍの灯具本体３で形成される灯具ユニット５を２つ連結することによって、左右長さが３６００ｍｍの黒板１に設置できるし、灯具ユニット５を３つ連結すれば、左右長さが５４００ｍｍの黒板１に設置できる。
【００３４】
また、照明装置２を黒板１に設置するには、各灯具ユニット５の灯具本体３を端部どうし連結し、各灯具ユニット５の灯具本体３に取付アーム６の先端部を取り付け、その取付アーム６の基端部を黒板１の上端部に取り付けるようにすればよいから、その設置作業を簡単容易に行なうことができる。特に、この照明装置２によれば、上記のように同じ単位長さの灯具ユニット５を複数接続し、あるいは複数の異なった単位長さの灯具ユニット５（例えば長さ１８００ｍｍと９００ｍｍの灯具ユニット５）を複数接続することにより、任意の必要とする長さの照明装置２を形成することができる。黒板の長さは、学校用黒板の場合、１８００ｍｍ、２７００ｍｍ、３６００ｍｍ及び４５００ｍｍが一般的であるため、灯具本体３の単位長さとしては、１８００ｍｍと９００ｍｍの２種類が好ましい。
【００３５】
そして、この照明装置２では、各灯具ユニット５のアルミ押出形材製の灯具本体３が、断面略Ｃ字状の前部側壁部Ａと後部側壁部Ｂとによって中空枠状に形成され、後部側壁部Ｂが上部壁部Ｂａと中間壁部Ｂｃと下部壁部Ｂｂとからなるもので、中間壁部ＢｃにＬＥＤモジュール４が取り付けられ、このモジュール取付部より上部壁部Ｂａと下部側壁部Ｂｂとの間に横断面末広がり状（横断面扇形状）の開口部８が灯具本体全長にわたり形成されているから、ＬＥＤモジュール４から発した光は、横断面末広がり状に開口する開口部８より黒板１の表面を有効に照らすことができる。また、灯具本体３はアルミ押出形材製のもので、中空枠状に形成されているから、放熱機能が十分に発揮されて、ＬＥＤモジュール４の過熱を有効に防止することができる。また灯具本体３内の中空部３ａ，３ｂは、配線コードを通し入れる配線コード用通路として有効に利用できる。また、黒板１の正面側に位置する灯具本体３の前部側壁部Ａが断面略Ｃ字状に形成されているから、外観上の体裁、見栄えが良い上に、後部側壁部Ｂとの間に断面積が十分大きい中空部３ａ，３ｂを形成でき、それによって放熱効果が一層良くなる。
【００３６】
また、ＬＥＤモジュール４から発した光は、横断面末広がり状（横断面扇形状）に開口する開口部８内に設けてある半透明のカバー１０を通過するから、眩しさやチラツキの無い、柔らかで目に優しい光となって黒板１の表面を照らし、黒板１の表面に書かれた文字等が見易くなる。
【００３７】
また、この照明装置２によれば、取付アーム６の先端部を灯具ユニット５の灯具本体３に取り付けるにあたり、ナット嵌合溝９の上面側に、水平に延びる取付アーム６の先端部を載置し、この取付アーム６先端部を把持する取付用把持片１６からボルト１７を、ナット嵌合溝９内に回転不能状態に挿入配置したナット部材１８に螺合緊締することにより、取付アーム６の先端部を灯具本体３に取り付けるから、灯具本体３に対する取付アーム６先端部の取付位置を灯具本体３の長さ方向に沿って任意に設定できると共に、何本の取付アーム６でも簡単容易に取り付けることができる。
【００３８】
また、この照明装置２によれば、取付アーム６がパイプ材からなるもので、取付アーム６の基端部を黒板１の上端部に取り付けるにあたり、ベース板１９上に突設した取付軸部２０に、下向きに延びる取付アーム６の基端部を嵌合して固定し、このベース板１９を黒板１の上端部に固定するようにしたから、取付アーム６の基端部を黒板１の上端部に対し簡単且つ容易で強固に取付け固定することができる。この場合、ベース板１９を、ベース板本体１９ａと折曲片１９ｂとで形成して、ベース板本体１９ａを黒板上面側に載設固定し、折曲片１９ｂを黒板上端部の背面側に当接して固定するようにすれば、ベース板１９を黒板１の上端部に対し安定良く強固に取り付けできて、取付アーム６の基端部をより強固に安定良く固定することができる。
【００３９】
また、この照明装置２では、各灯具ユニット５の灯具本体３をその端部どうし連結するのに、両灯具本体３，３の両ナット嵌合溝９，９内にわたってナット部材３６を回転不能状態に挿入配置すると共に、両ナット嵌合溝９，９の上面側に連結板３７を配置し、この連結板３７からビス３８を、ナット部材３６のネジ孔３６ａに螺合緊締することにより、隣り合う両灯具本体３，３を簡単容易にして的確に一体的に連結することができる。
【００４０】
また、この照明装置２にあっては、各灯具ユニット５の灯具本体３内に配設したＬＥＤモジュール４の配線コード１２を取付アーム６に通し入れるようにしているため、配線コード１２が黒板１の上部側に無造作に飛び出すようなことがなく、外観を損ない見栄えを悪くするようなことがない。
【００４１】
また、この照明装置２の大きな特徴は、照明装置２が複数の灯具ユニット５からなるため、灯具ユニット５などの現場への搬入及びその取付作業が容易であり、そしてまた照明装置２の一部が破損するなどして、取り替えを必要とする時には、灯具ユニット５ごとに取り替えすればよいから、取り替え作業が簡単容易で、取り替えに要するコストも安くて済み、非常に経済的である。
【００４２】
上述した黒板装置では、平面黒板について説明したが、この発明に係る照明装置２は、曲面黒板にも適用可能である。また、この照明装置２は、装置の新設時に限らず、既設の黒板にも取り付けるできるものである。
【符号の説明】
【００４３】
１            黒板
２            照明装置
３            灯具本体
４            ＬＥＤモジュール
５            灯具ユニット
６            取付アーム
６ａ          取付アームの立上部
６ｂ          取付アームの水平部
８            開口部
９            ナット嵌合溝
１０          カバー
１６          取付用把持片
１８          ナット部材
１９          ベース板
２０          取付軸部
【図１】
2014099285.tif 000003
【図２】
2014099285.tif 000004
【図３】
2014099285.tif 000005
【図４】
2014099285.tif 000006
【図５】
2014099285.tif 000007
【図６】
2014099285.tif 000008